Podtech/llm-jp-corpus-v4-ja_patent huggingface dataset:
(57)【要約】【課題】本願発明は、テーブル状の単位部材を連結して貯留空間を形成する際の施工手間を少なくする方法の提案にある。【解決手段】地下に埋設する貯留もしくは浸透槽にあって、平盤上に開口する筒状部を有するテーブル状部材を配設して水の貯留空間を形成し、当該貯留空間をシートで覆った貯留もしくは浸透槽において、当該槽の貯留空間の各稜をＬ型の部材で押さえ、前記Ｌ型部材間を水平および上下方向に紐にて張力をかけるようにして固定した貯留もしくは浸透槽である。【選択図】図２
2008038340.tif 000002
【特許請求の範囲】
【請求項１】
地下に埋設する貯留もしくは浸透槽にあって、平盤上に開口する筒状部を有するテーブル状部材を配設して水の貯留空間を形成し、当該貯留空間をシートで覆った貯留もしくは浸透槽において、当該貯留空間を紐で緊縛することで貯留空間内のテーブル状部材を固定した貯留もしくは浸透槽。
【請求項２】
請求項1記載の貯留もしくは浸透槽において、当該槽の貯留空間の上下に押さえ部材を設け、当該押さえ部材間を水平および上下方向に紐にて張力をかけるようにして固定した貯留もしくは浸透槽。
【発明の詳細な説明】
【技術分野】
【０００１】
本発明は、地下に埋設する貯留槽もしくは浸透槽の技術に属する。
【背景技術】
【０００２】
雨水の流出抑制を目的として、プラスチックなどで製造されたテーブル状、容器状あるいはパイプ状部材などの単位部材を地下に配設し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。いずれの方法も部材を配設しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。
【０００３】
図５に示すこれら単位部材であるテーブル状部材を用いた場合の貯留空間の形成においては、テーブル状部材を、適宜継ぎ手を用いて配設する方法が用いられている。接続箇所に応じた各種の継ぎ手が用いられ、施工時の手間を要するものであった。
【０００４】
【特許文献１】特開昭62-101097
【特許文献２】特開昭62-126179
【特許文献３】特開平9-296486
【特許文献４】特開平11-43971
【特許文献５】特開平10-115778
【特許文献６】特開2002-129640
【発明の開示】
【発明が解決しようとする課題】
【０００５】
本願発明は、テーブル状の単位部材を配設して貯留空間を形成する際の施工手間を少なくする方法の提案にある。
【課題を解決するための手段】
【０００６】
本第1の発明は、地下に埋設する貯留もしくは浸透槽にあって、平盤上に開口する筒状部を有するテーブル状部材を配設して水の貯留空間を形成し、当該貯留空間をシートで覆った貯留もしくは浸透槽において、当該貯留空間を紐で緊縛することで貯留空間内のテーブル状部材を固定した貯留もしくは浸透槽である。
本第２の発明は、本第1の発明の貯留もしくは浸透槽において、当該槽の貯留空間の上下に押さえ部材を設け、当該押さえ部材間を水平および上下方向に紐にて張力をかけるようにして固定した貯留もしくは浸透槽である。
施工手間を省略するため、紐で緊縛あるいは網で緊縛することで継ぎ手の代わりあるいは併用して固定するようにした。
【発明の効果】
【０００７】
テーブル状部材を配設して、水の貯留空間を形成する際、貯留空間を紐で緊縛するため施工の手間が軽減する。
【発明を実施するための最良の形態】
【０００８】
以下、本発明を、図を用いて、より詳細に説明する。
図１は、本発明のテーブル状部材を用いた貯留空間を示す概念図の一例である。
図１ａは貯留空間の平面図であり、図１ｂはその断面図を示している。
図では、テーブル状部材をその筒面を突き合わせる形で配列しそれをテーブル状部材が4段となるようにしてある。配列する際の安全上、強度を考慮し適宜テーブル状部材間を継ぎ手で接続している。
【０００９】
図２は、本第1の発明の貯留空間を紐で緊縛し、テーブル状部材を配列した状態を示す概念図である。図２ａは平面図、図２ｂは断面図を示す。
図では貯留空間全体をあたかも網で包んだようになっているが、部分的に緊縛しそれらをまとめて緊縛してもよい。
【００１０】
図３は、本第２の発明のテーブル状部材を配列した貯留空間を紐で緊縛した状態を示す概念図である。槽の稜に沿って、押さえ部材としてＬ型部材をあてがって貯留空間を押さえた状態を示す概念図である。図４は、Ｌ型部材に設けた孔を介して紐をかけ槽を緊縛した状態を示している。押さえ部材はＬ方部材に限らず平板であってもよい。図では、紐は垂直および水平にかけてあるが網目状にかけてもなんら差し支えがない。
【００１１】
テーブル状部材は図５に示すように、平盤部に戴円錐形状の筒あるいは梅鉢状の筒を１ないし複数もうけたもので、既存の部材が使用できる。テーブル状部材の材質も熱可塑系プラスチックを射出成形したもの、あるいはステンレススチール製など水に対して安定な材質で所定の強度を得られるものなら特に材質に制限はない。なお押さえ部材は鋼材、ステンレススチールなど強度を有する材質で、水中で所定の強度と寿命を有する材質を使用することができる。紐はロープであってもベルトであってもまたその材質も水中で所定の強度を有するものであれば特にその材質を限定しない。
【００１２】
図６は、本槽を地下に埋設した状態を模式的に表したものであり、泥だめますあるいは沈砂池、流入管、溢流管、オリフィスなど適宜必要な付帯設備を付加して貯留槽として使用できる。
【図面の簡単な説明】
【００１３】
【図１】は、テーブル状部材を用いた貯留空間を示す概念図である。
【図２】は、貯留空間を紐で緊縛した状態を示す概念図である。
【図３】は、貯留空間の稜をＬ型部材で押さえた状態を示す概念図である。
【図４】は、Ｌ型部材で押さえた貯留空間を紐で緊縛した状態を示す概念図である。
【図５】は、テーブル状部材の例を示す。
【図６】は、本発明の貯留浸透施設としての使用例の概念図である。
【００１４】
１  貯留空間
２  テーブル状部材
３  紐
４  押さえ部材
５  貯留浸透施設
【図１】
2008038340.tif 000003
【図２】
2008038340.tif 000004
【図３】
2008038340.tif 000005
【図４】
2008038340.tif 000006
【図５】
2008038340.tif 000007
【図６】
2008038340.tif 000008
(57)【要約】【課題】女性の乳房を大きく豊満にしたい願望を、光の明暗と云う原理を活用して実現させるもので、今までになかった着衣の上から化粧を施すと云う革新的な化粧方法です。【解決手段】着衣に合致した化粧料を使って、乳房の上面を明るい白色系化粧料で、反対に下面は暗色系化粧料を用いて、明暗をより強調する。衣ずれなどで霧散しないように定着スプレ−を吹きかけて安定させる。【選択図】図２
2008038321.tif 000002
【特許請求の範囲】
【請求項１】
女性の願望のなかで、重要関心事である胸部乳房の高さ、大きさを、光と影を人為的に化粧で強調することによって、着衣の上から、彩色化粧する化粧方法。
【請求項２】
請求項１の目的を達成するために、専用の色彩を調合したパウダ−、或いは
練りクリ−ム状の、塗布剤をセットした化粧品。
【請求項３】
着衣に着色したパウダ−、或いはクリ−ム状の物が、他の着衣に転移したり活動中に霧散したり、しないようにする為に、定着剤を噴霧する化粧品。
【発明の詳細な説明】
【技術分野】
【０００１】本発明に類似した、着衣の上から化粧を施すといった案件は新規性のもので他に見当たらない。【０００２】女性が乳房を高く見せたい為には、通常パットを挿入するか、外科手術による豊胸術を受ける、ほかに種々の方策がある。【０００３】本発明は女性が、その体形を美しく見せたい願望のひとつが、乳房を大きく高く見せたい、その願いは切実で、本発明は容易に手軽に叶えられる方策と考える。【０００４】着衣の上から女性の胸を注視すると、光と影が重要な要素であり、上のほうからの光を反射する乳房上方部分、その反対に乳房の下方部分には影の部分が生じる。
この原理を活用し、明るい上方部分をより明るく彩色し、影の下方部分をより暗陰色に彩色すると、明暗が強調され、乳房は錯覚により高く大きく見える。【０００５】既に着衣している上へ、明色又は暗色を置くのであるから、単なる白、灰色、黒色では、ペンキ塗りのようになってしまう。
例えばピンク色を基調とした着衣に対してであったらピンクっぽい白、影にはピンクに灰黒色を混ぜたものを‥‥着衣が緑色を基調としたものであれば乳房の上面には白っぽい緑を‥‥影には緑に灰黒色を混ぜたものを使用するかとによって目的を達することができる。従って着衣毎に多様な色の明暗の塗布化粧料を用意し、用いることが望ましい。
【発明が解決しようとする課題】
【０００６】女性の願望である乳房を、少しでも大きく高くしたい為に払う努力を軽減したい。リスクを伴い且つ費用の嵩む豊胸手術をせずとも、その目的が達せられないかと考え本発明に至った。
【０００７】本発明は絵画的発想を基としている。入射した光が当たった部分は白く明色で、その反対部分は暗灰色で段階的にぼかすように色を使うと、物体は立体感をもって見る人に感動をあたえる。この原理を乳房の着衣の上から発色させよう…と云うことであります。
【発明が解決するための手段】
【０００８】通常顔面に化粧するファンデイション・おしろい・フェイスカラ−等とは成分の異なる、布に付着性のよい粉末状や練り形状の塗布剤をブラシに移し塗布する。或るはパフ及びスポンジを用いて塗布する。或いはまた、付着成分を含んだクリ−ム状、口紅ステック状にして塗布するのもよい。
【０００９】乳房上面に塗布する白く明るい塗布剤は、若干の微量微粒子の板状粉体をふくむ通常キラキラと光を反射する成分を含んでいるものが望ましい。
【００１０】板状粉体の具体例として雲母・合成雲母・板状タルク・セリサイト・板状酸化チタン等々が考えられる。
【００１１】着衣の上から塗布するのであるから、衣ずれなどにより容易に剥落するおそれがあるので、それを防ぐため透明なスプレ−を化粧後に吹きかけて、うすい被膜を形成する。
【発明の効果】
【００１２】一例として標準的乳房をもった女性に単色のＴシャツを着せて、本発明の化粧方法を用いて化粧をしたとき、化粧する前の写真、化粧後の写真を事情を知らない他人にみせた処両者を比較して、一方は豊満な胸をもった別人であるとの結論に達した。
【００１３】女性は顔の化粧で日頃から鏡に向かってファンデ−ション類を塗布することに習練を積んで、大層巧みであります。顔に比べたら形状も単純であり、光、影を強調すればよいだけですから、技術的にむずかしくありません。
【００１４】若しも逆に乳房が大きすぎる、高すぎると悩む人もなきにしもあらずです。その時は乳房下部の影の暗い部分に明色を施すことによって低く錯覚させることができます。
【図面の簡単な説明】
【００１５】
【図１】一例として着用時のＴシャツを表わしたものであり、何等化粧を施さないもの、１と１ａは乳房の上面でＴシャツの生地そのままです。２と２ａは乳房の下面で僅かに陰影があります。
【図２】着用した後本発明による、明暗を強調した化粧をほどこしたもので、３と３ａは乳房上面です。４と４ｂは乳房下面です。
【図１】
2008038321.tif 000003
【図２】
2008038321.tif 000004
(57)【要約】【課題】  従来の袖のある衣類は、梅雨の季節から夏にかけては半袖のＴシャツでさえも脇の下は暑く汗がでて不快な状態であった。これは、脇の下の風通しが悪いためであった。【解決手段】  袖のあるＴシャツなどの衣類において、胴体側面上部から脇の下を通り上腕部にかけてＴシャツ本体生地１にスリット２を入れた。スリット２の縁付近に補強用生地３を設け、一方の補強用生地３の任意場所に複数のボタン４を縫いつけ他方の補強用生地３にボタンをかけるための孔５を設けた。これによりボタン４をはずして隙間をつくり、風通しを良くし汗を水蒸気として外部に排出することが可能となる。暑さ寒さはボタン４をかけたりはずしたりして、隙間を長くしたり短くしたりして調整する。【選択図】図１
2008038324.tif 000002
【特許請求の範囲】
【請求項１】
凡そ袖のある上着やワイシャツなどにおいて、本体生地の左右脇の下付近にスリットを入れた衣類。
【請求項２】
袖のある衣類において、左右の胴体側面上部から脇の下を通り上腕部にかけて衣類本体の生地にスリットを入れ、スリット両方の縁に補強用生地を設け一方の補強用生地の任意場所にボタンを縫いつけ、他方の補強用生地にボタンをかけるための孔を設けた請求項１の衣類。
【発明の詳細な説明】
【技術分野】
【０００１】  本発明は、上着やワイシャツなど袖のある衣類において両脇の下付近の、通気性の改善を図った衣類に関する。
【背景技術】
【０００２】  従来は、袖のある衣類において両脇の下付近の暑さや汗を解消する衣類（以下Ｔシャツを例に説明。）はなかった。
【発明の開示】
【発明が解決しようとする課題】
【０００３】  最近梅雨の季節から夏にかけ、ノーネクタイ姿のいわゆるクール・ビズ姿が奨励されてきましたが、涼しいのはネクタイをしない首まわりだけで両脇の下付近は暑さのため汗ばみ不快な状態である。その主な原因は脇の下の風通しが悪いため汗が水蒸気となり外に逃げることができず、脇の下や周辺の生地に溜まるためである。本発明は、この課題を解消するためになされたものである。
【課題を解決するための手段】
【０００４】  本発明は上記目的を達成するため、Ｔシャツの本体生地１に左右の胴体側面から脇の下を通り上腕部にかけてスリット２設けて隙間をつくり、風通しを良くした。また、スリットの両縁には補強用生地３を縫い付けた。その補強用生地３の任意の場所に複数のボタン４を縫い付け、反対側の補強用生地３にそのボタンをかけるため複数の孔を設けた。
【発明の効果】
【０００５】  蒸し暑い時期、人の胴体側面から脇の下を通り上腕部にかけてシャツ本体生地にスリット２を設けて隙間をつくり、その隙間から脇の下で発生する汗を水蒸気として逃がし外から風を入れることで涼しさを感じることができる。しかも、暑さ寒さは簡単にボタン４をかけたりはずしたりして、隙間を長くしたり短くしたりして調整することができる。
【発明を実施するための最良の形態】
【０００６】  以下、本発明の実施の形態を図１〜図３において説明する。【０００７】  図においては、１はＴシャツなどの本体生地で、２はスリット、３は補強用生地、４はボタンで、５はボタンをかけるための孔である。【０００８】  以下、上記構成の動作を説明する。ボタン４をはずすとスリット２が現れその隙間から脇の下で発生する汗を水蒸気として逃がし、外から風を入れることで涼しさを感じることができる。また、ボタン４は簡単にかけたりはずしたりすることができ、これにより隙間を長くしたり短くしたりして暑さ寒さを調整することが可能となる。
【図面の簡単な説明】
【０００９】
【図１】  本発明の、補強用生地３に縫い付けているボタン４を、ボタンをかけるための孔５からはずし、本体生地１が割れスリット２が現れ隙間ができた状態を示す正面図である。
【図２】  本発明の、補強用生地３に縫い付けているボタン４を、ボタンをかけるための孔５にかけている状態を示す正面図である。
【図３】  本発明をＴシャツに使用した時の状態を示す正面図である。
【符号の説明】
【００１０】  １  シャツの本体生地
２  スリット
３  補強用生地
４  ボタン
５  ボタンをかけるための孔
【図１】
2008038324.tif 000003
【図２】
2008038324.tif 000004
【図３】
2008038324.tif 000005
(57)【要約】【課題】    視点が上向き作業の場合同姿勢で長時間作業を行う事が困難であり、短時間の内に首をおろし中断する事が多く、思う様に同姿勢を保つ事が出来なかった。【解決手段】後頭部を上向き時に支える事により、首の疲れが大幅に軽減し、ある一定の作業が思うように同姿勢で出来るようになる。【選択図】図１
2008038317.tif 000002
【特許請求の範囲】
【請求項１】
これまでの上向き作業、天体観測から左管作業、電気配線等の首の疲れやすい作業において後頭部を上向き時に支える事によって、より快適に上向き姿勢を保つ事が出き各作業をスムーズに行う事が出来る視点上向き時支首装置
【請求項２】
エアーマット及びスプリング（リーフ、コイル）の支力の強弱調整によって、子供から大人まで広く利用出来る請求項１記載の視点上向き時支首装置
【発明の詳細な説明】
【０００１】  以下で説明する上向き作業全てにおいて、短時間で首が疲れる事なく長時間上向きの同姿勢を保つ事が出来る。
【発明の属する技術部分】
【０００２】  本発明は、後頭部を支える物で肩から背中にかけて背負い、支力の強弱で子供から大人まで幅広く利用出来る。
【発明が解決しようとする課題】
【０００３】  これまで上向き作業時のペンキ塗り、電気配線工事、左管作業、天井掃除、天体観測、自動車修理（裏面）とさまざまな作業において首の疲れによりおもう様に同姿勢を保つ事が困難であった。
【図面の簡単な説明】
【０００４】
【図１】  本発明図  支首装置の使用イメージ図であり、又各サイズは空気圧及びスプリングの強弱調整、又肩掛けベルトの調整により、大人から子供に至るまで使用できる物の図である。
【図２】  図１の支首部がエアーマット等による、支首装置図である。
【図３】  図１の支首部をリーフスプリング又はコイルスプリングによって支えている支首装置である。
【符号の説明】
【０００５】１  支首部
２  肩掛けベルト
３  背当て
４  エアーマット
５  リーフスプリング
Ａ  エアー注入口
Ｂ  角度及び強弱調整ネジ
Ｃ  ボルト先端安全キャップ
Ｄ  バックル
【図１】
2008038317.tif 000003
【図２】
2008038317.tif 000004
【図３】
2008038317.tif 000005
(57)【要約】【課題】ひも通しはあったが、ひも戻しは無かった。しかも、そのひも通しは、先端がとがっており、危険な形状であるとともに衣類の生地目に引っ掛かりやすく、手繰り寄せた布は帰りやすくてスムーズに進む事が困難であった。また、腰ひも等の端末が、少しだけ衣服類の中に引っ込んだ場合等、手でこまめに動かして戻すしかなく大変苦労していた。【解決手段】一本物の棒の先端に、ひも巻き込み引っ掛け部、棒の反対側端末には、滑り止めカットのある球体のひも通路掻き分け部を設ける。両端の形状は安全な丸形である。【選択図】図１
2008038320.tif 000002
【特許請求の範囲】
【請求項１】
棒の先端をのの字に丸く曲げ、直ぐ下首の部分を２０度から５０度の間に後方又は前方へ傾斜角度をつけた、ひも巻き込み引っ掛け部を設け、棒の反対側端末には、滑り止めカットのある、球体のひも通路掻き分け部を設けたことを特徴とし、棒を回転させることにより、ひもを巻き込み引っ掛ける、ひも通し兼ひも戻し。
【発明の詳細な説明】
【技術分野】
【０００１】  この発明は、衣類の中に腰ひも等の端末が引っ込んだ時、引っ張り戻すひも戻しと、最初から衣類の中に腰ひも等を通していく事も兼用で出来る、ひも通し兼ひも戻しの形状に関する。
【背景技術】
【０００２】  従来、ひも通しはあったが、ひも戻しはなかった。しかも、そのひも通しは、図８に示すように、先端がとがっており、危険な形状であるとともに衣類の生地目に引っ掛かりやすく、手繰り寄せた布は帰りやすくてスムーズに進む事が困難であった。また、腰ひも等の端末が少しだけ衣類の中に引っ込んだ場合等、手でこまめに動かして戻すしかなく大変苦労していた。
【発明の開示】
【発明が解決しようとする課題】
【０００３】  しかしながら、以上の技術によれば、ひも通しは、時間を要し、取り扱いが不便であった。そこで、この発明は、腰ひも等の端末が少しの引っ込みであれば、短時間で元の状態に引っ張り戻すことができ、また、腰ひも等を最初から通していくのであれば、衣類の生地目に引っ掛かることなくスムーズに進むことができる、ひも通し兼ひも戻しを提供することを課題とする。
【課題を解決するための手段】
【０００４】  以上の課題を解決するために、第一発明は、一本物の棒の先端をのの字に丸く曲げ、直ぐ下首の部分を２０度から５０度の間に後方又は前方へ傾斜角度をつけた、ひも巻き込み引っ掛け部を設けたことを特徴とするひも戻しである。また、第２発明は、棒の反対側端末には、滑り止めカットのある球体のひも通路掻き分け部を設けたことを特徴とする、ひも通しである。
【発明の効果】
【０００５】  第一発明、によれば、一本物の棒の先端をのの字に丸く曲げ、直ぐ下首の部分を２０度から５０度の間に後方又は前方へ傾斜角度をつけた、ひも巻き込み引っ掛け部を設けたことで、先端の、のの字のひも巻き込み引っ掛け部は、衣類の生地目に引っ掛かることなくスムーズに前後に進むことができ、棒を回転させることにより、のの字が腰ひも等の首の部分を巻き込むことができ、棒を引っ張れば腰ひも等の結び目がのの字に引っ掛かる。そして、棒を引っ張り出せば一緒に腰ひも等が短時間で元の状態に引っ張り戻すことができる。【０００６】  第二発明、によれば、棒の反対側端末には、滑り止めカットのある球体のひも通路掻き分け部を設けたことで、腰ひも等を最初から通していく場合、衣類の生地目に引っ掛かることなくスムーズに掻き分けて前進することができ、手繰り寄せた布は指で押さえて帰らないようにできる。また、球体の滑り止めカットは、第一発明の棒を回転させる場合、手に汗をかいても、球体が滑らないようにしたものである。
【発明を実施するための最良の形態】
【０００７】  この発明の一実施形態を、図１に示す。
ひも通し兼ひも戻しの本体１は、ステンレス及びプラスチック並びに鉄線等硬質のものであり、この本体１の先端には、ステンレス及びプラスチック並びに鉄線等のひも巻き込み引っ掛け部２と、反対側端末には、ステンレス及びプラスチック並びに鉄線等のひも通路掻き分け部３が一体的に設けられている。【０００８】「実施形態の効果」
この実施形態によれば、棒の両端ともに円形であるので、人体に対して安全な形状である。先端の、のの字のひも巻き込み引っ掛け部分では、しっかりと腰ひも等の結び目をつかみ、簡単に早く腰ひも等を引っ張り戻すことができる。また、操作も棒を回転させ引くだけであり、簡単である。反対側端末の滑り止めカットのある球体のひも通路掻き分け部分では、球体を先頭に腰ひも等の通る通路を掻き分け広げていき、衣類の生地目に引っ掛からず、抵抗が少なくスムーズに腰ひも等を通していくことができる。そして、先端部分に腰ひも等の端末、または、結び目を引っ掛けるだけでよいので、簡単に早く準備ができる。球体の滑り止めカットは、手に汗をかいても滑らず操作することができる。【０００９】「他の実施形態」
図７の実施形態では、棒の先端は、のの字の左丸枠内が閉鎖されたものでもよく、また、先端を太くした？マーク型でもよい。
【図面の簡単な説明】
【００１０】
【図１】この発明の一実施形態を示す斜視図である。
【図２】この発明の一実施形態を示す正面図である。
【図３】この発明の一実施形態を示す右側面図である。
【図４】この発明の一実施形態を示す左側面図である。
【図５】この発明の一実施形態を示す背面図である。
【図６】この発明の一実施形態を示す平面図である。
【図７】この発明の他の実施形態を示す斜視図である。
【図８】従来技術を示す斜視図である。
【符号の説明】
【００１１】１  ひも通し兼ひも戻しの本体
２  ひも巻き込み引っ掛け部
３  ひも通路掻き分け部
【図１】
2008038320.tif 000003
【図２】
2008038320.tif 000004
【図３】
2008038320.tif 000005
【図４】
2008038320.tif 000006
【図５】
2008038320.tif 000007
【図６】
2008038320.tif 000008
【図７】
2008038320.tif 000009
【図８】
2008038320.tif 000010
(57)【要約】【課題】  ずれにくく、しっかりと保湿、保温できる、洗濯の間に代えを何枚も持たなくてすみ、流通している様々な生地を利用できる、かかとの保湿保温カバーを提供する。【解決手段】  半円形の生地からなり、その縁の全周に紐を挿通させる挿通部を設け、角２箇所に紐が抜ける穴を設けます。紐をその片方の穴から直線部に通し、一周し、また直線部分に通し、反対の穴からだす。直線部分は紐が互いに交差する。紐を絞りギャザーを寄せ、足の甲の上で結ぶことにより踵を包めるようにした、かかとの保湿保温カバー。【選択図】図２
2008038318.tif 000002
【特許請求の範囲】
【請求項１】
半円形の生地からなり、その生地の縁、全周に紐を挿通させる挿通部と、角２箇所に紐が抜ける穴を設け、そこに紐を通し、一周して反対の穴から紐をだし、紐を絞りギャザーを寄せて踵を包み、足の甲の上で留めるようにした、かかとの保湿保温カバー。
【発明の詳細な説明】
【技術分野】
【０００１】  本発明は、角質化した踵の皮膚のかさかさ、荒れ、ひび割れを、普通の皮膚に戻すのを助け、リラックス時の足首の冷えを軽減し、手入れが簡単で、フリーサイズであり、ずれない、お洗濯中の予備を持たなくてすむ、かかとの保湿保温カバーに関するものである。
【背景技術】
【０００２】（イ）  皮膚は角質化しやすく、美容上好ましくないだけではなく厚化すると皮膚にひび割れが生じて痛くなった。
（ロ）  従来市販されている、かさかさを防止する踵を覆うものには、靴下のようなニット生地で、踵の部分に保湿をもたせるように加工を施したものがあった。
（ハ）  使い捨ての踵を覆うものがあった。
（ニ）  サポートタイプのナイロンやポリエステル生地にチタンを加工しているもので踵を覆うものがあった。
（ホ）  薬剤でパックする使い捨てのものがあった。
（ヘ）  シートをゴムひもでかかとに当てるものがあった。
（ト）  過去のかかとの保湿に関する、ものは、開２００１−４６４２１  開６１−１１０４２  開６３−７９９２３  開０１−１２０８３１  開０６−７９７０６  開２００３−１０５６０１  実用新案第３０５１４２５号  などがある。
【発明の開示】
【発明が解決しようとする課題】
【０００３】（イ）  今までの商品は保湿が中途半端でした。
（ロ）  寝ている間に、しっかり留まらずに、ずれてしまい、脱げてしまったり、効果が薄れてしまうことがしばしばあった。
（ハ）  今までの生地のものは、踵の荒れている部分に保湿クリームや油を塗って着用するとニットのような生地のため、クリームが付着してしまい、さらに自分の汗も付着し、不潔ですぐ汚れ、洗濯しないで２回目使用するのも気持ち悪く、清潔を保つには使用ごとの洗濯が必要であった。洗濯は時間がかかるため、毎日着用するには予備をいくつも持たなくてはならなかった。
（ニ）  使い捨てのものがあるが不経済であった。
（ホ）  通気性の希薄な生地を利用した皮膚に密着させるものは、皮膚呼吸を妨げ、蒸れすぎ、気持ちが悪かった。
（ヘ）  生地にサポート力が必要なため、利用できる生地に制限があった。
本発明は、以上のような欠点をなくすためになされたものである。
【課題を解決するための手段】
【０００４】  半円形の生地からなり、その生地の縁、全周に紐を挿通させる挿通部と、角２箇所に紐が抜ける穴を設け、そこに紐を通し、紐を絞りギャザーを寄せ、足の甲の上で留めることにより踵を包めるようにした、かかとの保湿保温カバー。
【発明の効果】
【０００５】（イ）  つま先を覆わず、足の指が群れないので心地よい。
（ロ）  保湿性のある生地を利用し本発明にて踵をすっぽりと包み込むことにより。踵部分を自らの体温で暖め、自らの発汗作用の保湿により、しっとりとさせ、新陳代謝を促進する。
（ハ）  紐で位置を固定するため、生地のサポート力が必要ないので、様々な流通している適切な生地を利用できる。
（ニ）  水分を通しにくく、油分が付着しにくい種類の生地を使用すれば、踵にクリームや、オイルをたっぷり塗ってそれらが本発明に付着しても、ふき取ることができ、簡単に手入れでき、また、踵にクリームをたっぷり塗って寝てもスリッパや床、寝具を汚しません。
（ニ）  踵から、踝の下まで、すっぽり包むことにより足首が温かく、足が冷え性の方には、足の指の蒸れを感じずに足首が心地よく暖まり、保温器具としても最適である。寒い冬の時期だけでなく、クーラーを利かせた夏でも心地よい暖かさが得られる。
（ホ）  紐を絞りギャザーを寄せて縛る形状のため、サイズを自由に調節でき、自分の足のサイズにジャストにあわせることができて、ずれてしまうことがない。
（ヘ）  美容の方法の一つに足にラップを巻いてサウナ効果を得る方法がありますが、使いにくく、汗でびちゃびちゃに濡れ、皮膚呼吸を妨げます。本品は皮膚と生地の間には空気層がありますので、発汗して保湿しても使用感がよく、皮膚呼吸を妨げません。
（ト）  着用したまま家中動き回っても、ずれることがなく、汚れの付着しない生地を利用すればニット製とは違い、汚れにくく、すぐ汚れを拭き取れるので自宅にいる間中気楽に使用できます。本発明は、ギャザーを伸ばすと扁平になるため、使用後、隅々までさっと、クリームや汗などの汚れをふき取れて管理が容易です。お洗濯いらずで毎日使え、何枚も揃える必要がなく経済的です。
【発明を実施するための最良の形態】
【０００６】  本発明は、半円形の生地（１）からなり、周囲に紐（２）を通せるように挿通部（３）を設けます。紐を通す、肌に密着する部分は、肌にやさしい生地を使いアレルギーやかぶれ等の、肌への負担を抑えるようにするのもよいです。角２箇所に紐が抜ける穴（４）を設け、その穴から周囲の挿通部（３）に紐を通す。紐の通し方は、はじめ、片方の穴から直線部分に通し、そのまま一周し、反対の穴からだします。直線部分の挿通部（３）は紐が互いに交差します。着用の方法は、図３に示すように、本品の曲線部分を踵方向にして、直線部分を土踏まずの下にあて、足の甲の上で紐を絞ってギャザーを寄せて踵を包み、リボン結びで結びます。留める方法は結ぶのみならず、マジックテープを使用したり、止め具を使うこともできます。紐にリボンを使い、リボン結びで固定すると、見た目が踵をラッピングしたようにみえてかわいらしく女性が好みそうです。
生地については、抗菌生地を利用したり保温力のある生地を利用したり、無農薬コットンや、好きな模様、材質の生地を利用したりと、位置を固定するための生地のサポート機能が必要ないのであらゆる、保温、保湿、肌にやさしい等の、流通している適切な生地を利用できます。
【図面の簡単な説明】
【０００７】
【図１】  本発明の平面図
【図２】  本発明を着用した側面図
【図３】  本発明の着用の過程の図
【符号の説明】
【０００８】  １  半円形の生地
２  紐状のもの
３  挿通部
４  穴
５  足
【図１】
2008038318.tif 000003
【図２】
2008038318.tif 000004
【図３】
2008038318.tif 000005
(57)【要約】【課題】  上空からのエイリアンによるマインドコントロールに対する対策が、望まれている。邪悪なグレイ、オリオンによるマインドコントロールは、人間の自由な精神に干渉するもので決して許してはならない。放置することは、地球侵略を虎視眈々とねらう奴らの思うになってしまうことでもある。【手段】  室内においては、テスラ波のパルスを妨害するために、壁に乱反射する素材を使用、電波吸収体・鉛を使用、レーザーで信号パルスを攪乱するなどして防衛する。室外においては、乱反射する素材で覆われたヘルメット、レーザーを張り巡らせたヘルメット、電波吸収体・鉛で覆われたヘルメットなどを着用することにより防衛する。一方、各地の高層建築物及び公園、施設などから水平及び斜め上方へレーザーを回転させることにより防衛する。【選択図】図３
2008038574.tif 000002
【特許請求の範囲】
【請求項１】
上空からのエイリアンによるマインドコントロールを防ぐための方法。
室内での方法として、壁に乱反射する素材を使用する、電波吸収体・鉛を使用する、レーザーによる信号の攪乱などでマインドコントロールを防ぐ。
【請求項２】
室外での方法として、乱反射する素材で覆われたヘルメットを着用する、レーザーを張り巡らせたヘルメットを着用する、電波吸収体・鉛で覆われたヘルメットを着用するなどしてマインドコントロールを防ぐ。
【請求項３】
各地域の高層建築物の屋上又は公園などの施設から水平及び斜め上方へ向け回転するレーザーを照射してマインドコントロールを防ぐ。
【発明の詳細な説明】
【技術分野】
【０００１】    本発明は、エイリアンによる上空からのマインドコントロールから人間の自由な思考を守るための防御方法に関するものである。
【背景技術】
【０００２】    対流圏に存在するマインドコントロール兵器とさらに上空に存在する円盤に対抗策を練る必要があったが、従来、効果的な対策がなかった。
【発明の開示】
【発明が解決しようと課題】
【０００３】    エイリアンは、地球人を意のままに操り、地球侵略を企てる悪魔である。
それに対して、人間の自由な精神を守るためには、彼らの上空からのマインドコントロール信号を妨害すればよい。
【課題を解決するための手段】
【０００４】    エイリアンの繰り出すテスラ波から人間の精神を守るためには、６つの方法がある。
１つ目は、室内に電波吸収体を張り巡らす。
２つ目は、室内の全ての壁にレーザーを配置して振動させる。
３つ目は、電波吸収体で覆われたヘルメットを使用する。
４つ目は、乱反射型のヘルメットを使用すること。
５つ目は、室内を乱反射型の壁で覆うこと。
６つ目は、各地域の高層建築物から水平又は斜め上方へレーザーを回転させながら送信すること。
【発明の効果】
【０００５】    本発明によりエイリアンからの邪悪なマインドコントロールから防衛し、侵略も阻止できる。さらに地球人の自由で平和な進歩、発展も阻害されないですむことになる。
【発明を実施するための最良の形態】
【０００６】    以下、本発明の実施形態を説明する。
（イ）室内の壁を電波吸収体で覆う。
（ロ）室内の全ての壁にレーザーを配置して振動させる。
（ハ）室内を乱反射型の壁で覆う
（ニ）電波吸収体で出来たヘルメットを着用する
（ホ）レーザーを通す構造にしたヘルメットを着用する
（ヘ）乱反射型のヘルメットを着用する
（ト）鉛を併用するのも効果的
（チ）各地域の高層建築物または公園、施設などから水平及び斜め上方に向けてレーザーを回転させながら送信する
本発明は以上の構成よりなる。
【図面の簡単な説明】
【０００７】
【図１】  マインドコントロール防衛ヘルメット
【図２】  マインドコントロール防衛ルーム
【図３】  各地域の高層建築物、公園、施設からの防衛
【符号の説明】
【０００８】
【図１】
2008038574.tif 000003
【図２】
2008038574.tif 000004
【図３】
2008038574.tif 000005
(57)【要約】【課題】  現在、墓地の花を活ける場合、花筒の花を安定させる為に隙間無く花を生けると花筒内の水の量が不足し、生花がすぐに枯れてしまう。また、花筒の水が腐敗しやすく、蚊の幼虫などが発生しやすい。【解決手段】  花筒の蓋として取り付けるものであり、３蓋の中央部の４生花口に５生花用パイプを取り付け、花を安定させ十分な水量を確保し、水の蒸発を防ぎ、蚊の幼虫などの発生を防ぐ事や生花を長持ちさせ悪臭を軽減できる事を特徴とする生花の延命蓋。【選択図】図４
2008038580.tif 000002
【特許請求の範囲】
【請求項１】
墓苑の花筒の蓋として使用するもので、３蓋の中央部の４生花口に５パイプ部を設け、３蓋を取り付けた状態で花を生けることを可能にした事を特徴とする生花の延命蓋。
【発明の詳細な説明】
【技術分野】
【０００１】  本発明は、主に墓苑においての花筒に関するものであり、花筒に構造を工夫した蓋を設ける事によって、蓋を取り付けた状態で花を生けることを可能にし、花筒内の水不足を解消し、生花を延命させ、蚊の幼虫などが発生し難いように考案したものである。
【背景技術】
【０００２】  現在の状況は花筒をステンレスやプラスティック製で製作し、洗浄し易くする等して対応しているのが主流である。
【発明の開示】
【発明が解決しようとする課題】
【０００３】  そこで本発明は、上記課題を解決する為に、次に述べるような構造を考案した。即ち、主に墓苑において、１花筒の花を安定させる為に隙間無く花を生けると１花筒内の水の量が不足し、生花がすぐに枯れてしまう。また、１花筒の水が腐敗しやすく、２花筒口の面積が広い為に蚊の幼虫などが発生しやすい。
【課題を解決する為の手段】
【０００４】  そこで、本発明は上記問題点を解決する為の、花筒蓋の開発に関する物である。
【発明の実施例】
【０００５】  発明の実施の形態を実施例にもとづき図面を参照して説明する。
考案の内容として、現在、墓苑の花筒に花を生ける場合、ステンレス製、プラスティック製等の  １市販品花筒を使用することが多く、簡単に水洗い等をして花を生けている。しかし、２花筒口の面積が広く、１花筒の花を安定させる為に隙間無く花を生けると１花筒内の水の量が不足し、切花がすぐに枯れてしまう。また、蚊等が容易に卵などを産む事が出来、水が汚れ易く悪臭の原因にもなっていた。以上の事から本発明は、図２の３花筒用蓋を開発した。使用方法として、１市販品花筒に３花筒用蓋・５生花用パイプからなる物を被せて使用する。１市販品花筒を使用すると２花筒口が広い為水の蒸発が早かったり、２花筒口を介して蚊等が卵を産みつけたり等、悪臭や花が早く枯れる原因にもなっていた。３花筒用の蓋を１市販品花筒に被せて使用する事により２花筒口より水の蒸発を軽減させ、４花筒口では６生花の茎との隙間が少ない為に蚊等が卵を産みつける事が困難である。花への水の供給は７生花用パイプ底面からのみで行われる為に８水面が外気に接する事が少なく、ごみ等が入る事が少ないので水量を長く保つ事が出来、花の寿命を延ばす事が出来る。また、これらの結果から課題の一つである悪臭を少なからず軽減できる。図２花筒用蓋の斜視図でも分かる様に構造が簡単な為、掃除が簡単で使用が容易である。即ち、本発明は花筒の蓋として取り付けるものであり、３蓋の中央部の４生花口に５生花用パイプを取り付けた事を特徴とする生花の延命蓋である。
【発明の効果】
【０００６】  構造が簡単である為、普及が期待出来、取り扱いも容易である。花を生花用パイプ内に生ける事で水量を十分に確保出来、水の蒸発を少なくする事や蚊等が侵入し難くし、蚊の幼虫などの発生を防ぐ事や生花を長持ちさせ悪臭を軽減できる。
【図面の簡単な説明】
【図１】  生花用蓋を使用時の全体斜視図である。
【図２】  花筒用蓋の斜視図である。
【図３】  代表的既製商品の斜視図である。
【図４】  花筒用蓋を使用時の断面図である。
【符号の説明】
１          市販品の花筒
２          花筒口
３          花筒用蓋
４          生花口
５          生花用パイプ
６          生花の茎
７          パイプ底面
８          水面
【図１】
2008038580.tif 000003
【図２】
2008038580.tif 000004
【図３】
2008038580.tif 000005
【図４】
2008038580.tif 000006
(57)【要約】【課題】近年ウイルス感染症を媒介する蚊の発生が問題になっているが、本発明はボウフラ発生防止に長期に亘って有効な銅板に浮揚材を取り付ける事によってボウフラの発生する雨水マス等の水中に於いて常に垂直に立つ様に工夫されており、銅板の両面が水中に於いて両面とも水に接して接触面積が大になり、底に水平に沈み堆積物などに覆われることが無いのでボウフラを死滅させる銅イオンの発生に効果がある。【解決手段】ボウフラ発生を防止する銅板に浮揚材を取付け、水中に於いて常に垂直な状能に保持すれば銅板が水平状に底に沈む事もなく堆積物に覆われることがない。又、本発明が雨水ますの排水口より大であれば流失する事もなく長期的にボウフラ退治出来る。又、雨水流入口より投入出来る大きさであれば簡単に設置できる。【選択図】図１
2008038578.tif 000002
【特許請求の範囲】
【請求項１】
汎用銅板の厚さ１．５ミリ以下の薄板の一片に浮揚材を取り付け、水中にて銅板が垂直に保持出来るボウフラ発生防止具。
【発明の詳細な説明】
【技術分野】
【０００１】  本発明は舗装道路の側縁部等に埋設されている雨水ますにおいてボウフラが発生するのを防止する手段に関するものである。
【背景技術】
【０００２】  舗装道路の両側縁部には、降雨時に路面上の雨水を側溝を経て速やかに下水本管に流し込む為の雨水ますが設置されている。路面上を流れる雨水は雨水ますの蓋に設けた流入口から雨水ますに入り、逐次下水本管に流れ込む仕組みになっている。【０００３】  雨水ますには雨水だけでなくゴミや土砂も入り込む。それらが全て下水本管に流れ込むのを防止する為、雨水ますの排水管の取り付け位置は雨水ますの底よりも１０〜２０ｃｍ程上にあり、流れ込んだ土砂などを一定量までは雨水ますの中に蓄積できるようになっている。蓄積した土砂などは適宜人力により排除する。【０００４】  雨水ますの構造が上述のようなものである事により長期間雨が降らなかった場合を除けば土砂だけでなく雨水も溜まっているのが普通である。【０００５】  近年、道路面を流れ有機物を多量に含んだ雨水が溜まった雨水ますの中で多数のボウフラが発生し、それが羽化した蚊による被害が報告されている。【０００６】  雨水ますは道路の両側に数メートルの間隔で設置されているから都市空間にはかなりの数があり、湿地や水溜りのあまり無い都市部や近郊に蚊の大発生が頻発するようになったのはこのためである。【０００７】  雨水ます中のボウフラ駆除、又は発生防止手段としては次の様なものがある。
▲１▼殺虫剤の水中投入。
▲２▼雨水マスに蚊が入らぬように流入口を防蚊網で覆う。
▲３▼雨水ますの底部を地下浸透式にする。
▲１▼は雨水と共に流失し、効果に持続性が無いから頻繁に実施する必要があり環境汚染の観点からも好ましくない。
▲２▼は路面のゴミや落ち葉により網の目が詰まりやすく豪雨時に路面が冠水することがある。
【実用新案文献１】
登録第３１０３６０７号
▲３▼はどの場所でも浸透が期待出来るとは限らないし、浸透水によって形成された地下水脈が成長して空洞になり道路の陥没を招く恐れがある。
【０００８】  多くの蚊は人を刺して不快にさせるばかりでなく伝染病を媒介する事もあるからかの発生防止は人の健康維持の観点から重要な課題である。
【非特許文献】厚生労働省  発  健感発第０６１８００２号  平成１５年６月１８日  付
【発明の開示】
【発明が解決しようとする課題】
【０００９】  以上に述べた従来のボウフラ除去機材について薬剤は簡便であるが持続性がなく、防蚊網はゴミや木の葉による目詰まりがあり、地下浸透式は路盤の沈下などの弊害の多いものであった。
【課題を解決するための手段】
【００１０】  銅材を水中に入れれば銅イオンの発生によりボウフラが発生しない事は以前から知られた方法であったが、これを確認する為、日本銅センターは（財）日本環境衛生センターに試験を依頼した。その結果は日本銅センターのホームサイトにて公表されており、その効果のある事は周知の事実である。【００１１】  本発明はボウフラの発生防止に有効な市販の工業製品材料の銅板１．５ミリ以下の薄板に浮揚剤を取付ける事により、ボウフラの発生する雨水ます等の水中に於いて常に銅板が垂直状態になり、銅板の両面が雨水の接触有効面積になるようにしたものである。この場合銅板の底部が雨水ますの底に触れても触れなくても良い。【００１２】  浮揚材が無ければ銅板は雨水ますの底に水平に沈む事もあり、銅板の上部が流れ込む土砂などの堆積物に覆われボウフラを死滅させる銅イオンの発生が阻害される。【００１３】  本発明が雨水ますの排水口よりも大であれば流出せず、水中に於いて長期に亘ってボウフラ退治に有効である。【００１４】  本発明の大きさが、雨水ますの雨水流入口より投入できる大きさであれば重い雨水ますの蓋を都度、開け閉めしなくても設置できるので作業量の減少になる。
【実施例】
【００１５】  １８リッターの雨水槽に本発明（２０×３０×２００ｍｍの樹脂発泡材の浮揚材を付けた０．３×１８０×２００ｍｍの銅板）を入れたものと、入れないものを並べ、蚊の発生時期である６月１日より二ヶ月間、屋外に放置した結果、入れない方にはボウフラなどの水中微細生物の発生が見られたが、本発明品を入れた雨水槽にはボウフラの発生は一匹も見られなかった。
【発明の効果】
【００１６】  本発明は単純な構造であるため簡単に製造が出来、簡単に設置も出来る。また比較的廉価に出来るので前述の様に舗装道路の脇にあまりにも数多くある雨水ますなどに設置するには極めて適切である。また、投入しても殺虫剤のような環境汚染の心配もない。近年。西ナイル熱や鳥インフルエンザ等の感染症を媒介する蚊の発生が世界的に問題になっているが本発明はこれ等の問題を解決する環境対策製品として極めて有用と考えられる。
【図面の簡単な説明】
【００１７】
【図１】本発明実施と側面断面図である。
【図２】本発明を道路脇の雨水マスに投入した例である
【符号の説明】
【００１８】１：浮揚材    ２：銅板
３：雨水マス開口部  ４：雨水マス蓋  ５：浮揚材つき銅板
６：雨水マス  ７：流出口  ８：雨水溜まり
【図１】
2008038578.tif 000003
【図２】
2008038578.tif 000004
(57)【要約】      （修正有）【課題】従来、木造住宅や鉄骨造住宅等の建築物の外壁体内に、通気あるいは断熱の役割をする空気層を形成するには、外壁材と透湿防水シートの間に、胴縁や通気用パッキン等のスペーサを施工する必要があったが、これらスペーサを使用せずに、壁体内に空気層を形成する外壁材を提供する。【解決手段】外壁材の裏面を凸構造の形状とする。この凸構造の形状部がスペーサの役割をするため、施工するだけで、空気層が形成される。【選択図】図１
2008038582.tif 000002
【特許請求の範囲】
【請求項１】
木造住宅や鉄骨造住宅等の建築物における、外壁材および外装材等において、裏面が凸構造の形状であることを特徴とし、縦胴縁や通気用パッキン等のスペーサを使用せずに、施工するだけで、通気あるいは断熱の役目をする空気層を形成する外壁材。
【発明の詳細な説明】
【技術分野】
【０００１】  本発明は、木造住宅や鉄骨造住宅等の建築物における、外壁材および外装材等の形状に関する。
【背景技術】
【０００２】  従来、建築物の外壁材として使用される窯業系サイディングやＡＬＣパネル等の裏面は、図２に示すように、平面かつ平滑な形状であり、図６で示すように、壁体内の通気あるいは断熱の役目をする空気層３を形成するには、木材である縦胴縁や、金属あるいは合成樹脂製等の通気用パッキン等のスペーサ２を必要とし、さらに、これらの施工も必要であった。
【発明の開示】
【発明が解決しようとする課題】
【０００３】  しかしながら、以上の技術によれば、図６で示すように、空気層３を形成するためには、パッキン等のスペーサ２が必要不可欠であった。
そこで、本発明は、スペーサ２を使用せずに、外壁材を施工するだけで、空気層３を壁体内に形成することができる外壁材を提供することを課題とする。
【課題を解決するための手段】
【０００４】  以上の課題を解決するために、本発明のうちで請求項１記載の発明は、図１で示すように、外壁材の裏面が凸構造の形状であることを特徴とし、この凸構造の形状部がスペーサ２の役割をするため、図７で示すように、施工するだけで、空気層３を形成することを目的とする外壁材１０である。
【発明の効果】
【０００５】  以上説明したように、本発明によれば、施工するだけで空気層３を壁体内に形成し、スペーサ２が不要になるため、費用の削減さらに工期の短縮が可能になる。
【発明を実施するための最良の形態】
【０００６】  以下、本発明の実施形態を、図示例と共に説明する。図１は、請求項１記載の実施形態である。外壁材を留め付ける一般的な施工法により、外壁材１０を施工するだけで、図７で示すように、スペーサを使用せずに壁体内に空気層３を形成することを目的とする外壁材である。【０００７】  凸構造の形状の実施形態は、図３、４、５に示すものでもよい。
【図面の簡単な説明】
【０００８】
【図１】本発明の一実施形態を表す斜視図である。
【図２】従来の技術を表す斜視図である。
【図３】外壁材の長尺方向を縦方向で使用する場合の一実施形態を表す斜視図である。
【図４】本発明の変形例を表す斜視図である。
【図５】本発明の変形例を表す斜視図である。
【図６】従来技術での実施例を表す外壁断面の斜視図である。
【図７】本発明での実施例を表す外壁断面の斜視図である。
【符号の説明】
【０００９】１  従来技術の外壁材
２  縦胴縁、通気用パッキン等のスペーサ
３  空気層
４  透湿防水シート
５  外壁下地材、
６  断熱材
７  防湿シート
８  石膏ボード
９  間柱
１０  本発明の外壁材
【図１】
2008038582.tif 000003
【図２】
2008038582.tif 000004
【図３】
2008038582.tif 000005
【図４】
2008038582.tif 000006
【図５】
2008038582.tif 000007
【図６】
2008038582.tif 000008
【図７】
2008038582.tif 000009